(57)【要約】【課題】 リモコンとしての機能を付加することにより通話以外の分野にも用途を拡大し、常時携帯するものとしての付加価値を高めることができる携帯電話機を提供する。【解決手段】 リモコンが発光するパターン信号をホトトランジスタ９で受光し、波形成形部８でパターン信号データに変換し、ＬＳＩ３がＫｅｙ７から入力されたパターン信号の種類に対応付けてメモリ５に格納し、パターン信号の種類が選択されると、ＬＳＩ３が種類に対応するパターン信号データをメモリ５から読み出して、ドライバ２で電気信号に変換し、発光ダイオード１でパターン信号と同様の信号を発光する携帯電話機である。【選択図】  図１
2005237042.tif 000002
【特許請求の範囲】
【請求項１】
リモコンとして機能するリモコンモードに切り替える切り替え操作が行われると、記憶されているパターン信号の種類を表示し、キー操作により特定のパターン信号の種類を選択し、当該選択された種類に対応した特定のパターン信号を発光させる発光キーが操作されると、選択した特定のパターン信号の種類を表示した状態で、種類に対応した信号を発光することを特徴とした携帯電話機。
【発明の詳細な説明】
【技術分野】
【０００１】
本発明は、携帯電話機に係り、特にリモコン機能を付加して用途を広げ、付加価値の高い携帯電話機に関する。
【背景技術】
【０００２】
従来の携帯電話機は、小型化・軽量化され、常時携帯することにより、サービスエリア内であればいつでも何処でも通話できるようになっていた。また、付加機能として、利用者がキー入力した名前と電話番号をメモリに記憶し、記憶されている名前と電話番号をディスプレイに表示したり、記憶されている電話番号を選択することで、直接相手を呼び出すこともできた。
【発明の開示】
【発明が解決しようとする課題】
【０００３】
しかしながら、上記従来の携帯電話機では、通話を目的とする機能のみで、常時携帯するものとしては、用途があまりにも限定されているという問題点があった。
【０００４】
本発明は上記実情に鑑みて為されたもので、リモコンとしての機能を付加することにより通話以外の分野にも用途を拡大し、常時携帯するものとしての付加価値を高めることができる携帯電話機を提供することを目的とする。
【課題を解決するための手段】
【０００５】
上記従来例の問題点を解決するための本発明は、携帯電話機において、リモコンが発光する複数のパターン信号を入力して記憶し、選択された前記パターン信号を発光することを特徴としており、複数の装置に対応するリモコンとして動作できる。更に本発明は、リモコンとして機能するリモコンモードに切り替える切り替え操作が行われると、記憶されているパターン信号の種類を表示し、キー操作により特定のパターン信号の種類を選択し、当該選択された種類に対応した特定のパターン信号を発光させる発光キーが操作されると、選択した特定のパターン信号の種類を表示した状態で、種類に対応した信号を発光することを特徴としており、複数の装置に対応するリモコンとして動作できる
【０００６】
上記従来例の問題点を解決するための本発明は、携帯電話機において、リモコンのパターン信号の種類を入力し、前記パターン信号の種類を選択する入力部と、前記リモコンが発光するパターン信号を受光して電気信号に変換する受光素子と、前記電気信号をデジタルのパターン信号データに変換する波形成形部と、前記パターン信号データを前記入力部から入力した種類に対応付けて記憶する記憶部と、前記パターン信号データを電気信号に変換するドライバと、前記電気信号に従って前記リモコンのパターン信号と同様の信号を発光する発光素子と、前記波形成形部からのパターン信号データを前記入力部から入力されるパターン信号の種類に対応付けて前記記憶部に格納し、前記入力部から選択されるパターン信号の種類に従って前記記憶部からパターン信号データを読み出して前記ドライバに出力する制御部とを有することを特徴としており、複数の装置に対応するリモコンとして動作できる。
【発明の効果】
【０００７】
本発明によれば、リモコンが発光する複数のパターン信号を入力して記憶し、選択されたパターン信号を発光する携帯電話機としているので、複数の装置に対応するリモコンとして動作でき、常時携帯するものとしての付加価値を高めることができる効果がある。更に本発明によれば、リモコンとして機能するリモコンモードに切り替える切り替え操作が行われると、記憶されているパターン信号の種類を表示し、キー操作により特定のパターン信号の種類を選択し、当該選択された種類に対応した特定のパターン信号を発光させる発光キーが操作されると、選択した特定のパターン信号の種類を表示した状態で、種類に対応した信号を発光する携帯電話機としているので、複数の装置に対応するリモコンとして動作でき、常時携帯するものとして付加価値を高めることができる効果がある。
【０００８】
本発明によれば、リモコンが発光するパターン信号を受光素子で受光し、波形成形部でパターン信号データに変換し、制御部が入力部から入力されたパターン信号の種類に対応付けて記憶部に格納し、パターン信号の種類が選択されると、制御部が種類に対応するパターン信号データを記憶部から読み出して、ドライバで電気信号に変換し、発光素子でパターン信号と同様の信号を発光する携帯電話機としているので、複数の装置に対応するリモコンとして動作でき、常時携帯するものとしての付加価値を高めることができる効果がある。
【発明を実施するための最良の形態】
【０００９】
請求項に係る発明について、その実施の形態を図面を参照しながら説明する。本発明に係る携帯電話機は、各種リモコンから発光される複数のパターン信号を受光してデジタルデータに変換してパターン信号データとし、パターン信号データとその種類とを対応付けてメモリに記憶し、使用者により種類を選択する発光指示により、選択された種類に対応するパターン信号データをメモリから読み出して、パターン信号に変換して発光するものであり、複数の装置に対応するリモコンとして動作できるものである。
【００１０】
まず、本発明の携帯電話機の構成について、図１を使って説明する。図１は、本発明に係る携帯電話機の構成ブロック図である。本発明の携帯電話機は、通常の携帯電話機と同様の構成であるディスプレイ４と、メモリ５と、基本携帯電話モジュール６と、Ｋｅｙ７とに加えて、本発明の特徴部分である発光ダイオード１と、ドライバ２と、ＬＳＩ３と、波形成形部８と、ホトトランジスタ９とから構成されている。
【００１１】
次に、本発明の携帯電話機の各部について具体的に説明する。基本携帯電話モジュール６は、一般的な携帯電話機における本来の機能である通話と、電話帳登録等の付加機能とを制御するものである。ただし、本件では、モードを切り替えるキーの操作によって、リモコンとして機能するリモコンモードに切り替えられると、後述するＬＳＩ３に制御が移るようになっており、またＬＳＩ３と、Ｋｅｙ７及びディスプレイ４及びメモリ５とのデータのやり取りは基本携帯電話モジュール６を介して行われるようになっている。
【００１２】
ホトトランジスタ９は、例えばテレビやエアコン等の使用者が所有しているリモコンから発光されるパターン信号を受光し、光の強度に比例する光電流に変換して増幅する光電変換を行い、アナログの電気信号を出力するものである。波形成形部８は、ホトトランジスタ９からのアナログの電気信号を入力し、アナログ／デジタル（Ａ／Ｄ）変換して、パターン信号データとしてＬＳＩ３に出力するものである。
【００１３】
ドライバ２は、ＬＳＩ３から出力されるパターン信号データを受け取って、デジタル／アナログ（Ｄ／Ａ）変換して、アナログの電気信号を発光ダイオード１に出力するものである。発光ダイオード１は、ドライバ２から出力される電気信号に従って、電気信号を電光変換してリモコンのパターン信号と同様の信号を発光するものである。
【００１４】
ディスプレイ４は、通常の携帯電話機における一般的な情報を表示するものであるが、特に本件では、入力されたリモコンのパターン信号の種類及び、記憶されているパターン信号の種類を表示するようになっている。
【００１５】
Ｋｅｙ７は、請求項における入力部に相当するもので、通常の携帯電話機に必要な情報を入力するものであるが、特に本件ではリモコンのパターン信号を登録する際にパターン信号の種類を入力したり、またリモコンとして使用する際に、リモコン用の操作を行うものである。ここで、リモコン用の操作とは、例えば、モードを切り替えるキーで携帯電話機をリモコンモードとし、メモリ５に記憶されているパターン信号の種類を矢印キー等でスクロールしてディスプレイ４に表示させ、特定のパターン信号の種類が表示された状態で発光させるキー（発光キー）を押すとリモコンのパターン信号と同様の信号が発光されるようになっている。
【００１６】
メモリ５は、請求項における記憶部に相当するもので、通常の携帯電話機に必要な情報を記憶すると共に、特に本件では、入力したリモコンのパターン信号データと、その種類を対応付けたリモコンテーブルを記憶するものである。メモリ５内のリモコンテーブルの具体例について、図２を使って説明する。図２は、本発明のメモリ５内のリモコンテーブルの構成例を示す説明図である。
【００１７】
メモリ５のリモコンテーブルは、図２に示すように、パターン信号の種類とパターン信号データとで構成されており、パターン信号の種類には、使用者の操作によってＫｅｙ７から入力されたパターン信号の種類が格納され、パターン信号データには、ホトトランジスタ９で受光したリモコンのパターン信号をＡ／Ｄ変換したパターン信号データがパターン信号の種類に対応して格納されている。例えば、パターン信号の種類としては、“ＴＶ デンゲン”，“エアコン デンゲン”等で、図２の例では１０種類を使用者が自由に設定できるものとしている。
【００１８】
ＬＳＩ３は、請求項における制御部に相当するもので、リモコン機能の制御を行うものである。尚、ＬＳＩ３は、基本携帯電話モジュール６でモードがリモコンモードに切り替えられると、ＬＳＩ３上で制御プログラムが動作することによって処理を行う。具体的な処理内容としては、リモコンのパターン信号を入力して登録する登録処理と、登録されているパターン信号を発光する発光処理をおこなう。
【００１９】
ここで、登録処理とは、使用者の操作によってＫｅｙ７からパターン信号の種類を入力し、更に波形成形部８からパターン信号データを入力し、メモリ５にパターン信号の種類とパターン信号データとを対応付けて格納する処理である。
【００２０】
また、発光処理とは、まずメモリ５からパターン信号の種類を読み出して、ディスプレイ４に出力して表示させ、Ｋｅｙ７からの例えばスクロールキーの入力に従って表示するパターン信号の種類をスクロールして表示させる。そして、何れかのパターン信号の種類が表示された状態で、使用者の操作によってＫｅｙ７から発光キーが入力されると、メモリ５から表示されているパターン信号の種類に対応するパターン信号データを読み出して、ドライバ２に出力する処理である。
【００２１】
次に、本発明の携帯電話機の動作について図１を使って説明する。尚、例として、テレビのリモコンの電源ボタンのパターン信号を登録して発光する例で具体的に説明する。
【００２２】
本発明の携帯電話機は、基本携帯電話モジュール６の制御の下で、Ｋｅｙ７の操作によってモードが切り替えられリモコンモードになると、ＬＳＩ３に制御が移り、ＬＳＩ３によって登録処理か発光処理かを選択する画面がディスプレイ４に表示されて、Ｋｅｙ７からの選択入力待ちとなる。
【００２３】
そして、使用者の操作によってＫｅｙ７から登録処理が選択されると、ＬＳＩ３の登録処理の動作として、Ｋｅｙ７からパターン信号の種類が入力され、同時にディスプレイ４に表示される。例えば、テレビの電源ボタンを登録する場合で、“ＴＶ デンゲン”とＫｅｙ７から入力する。
【００２４】
そして、使用者によって手持ちの本来のリモコン、例えばテレビのリモコンを本発明の携帯電話機に向けて、ＴＶの電源ボタンが押下され、そのパターン信号がリモコンから発光されると、本発明の携帯電話機においてリモコンのパターン信号がホトトランジスタ９で受光されて光電変換され、波形成形部８でＡ／Ｄ変換されてパターン信号データとしてＬＳＩ３に出力され、ＬＳＩ３で、先に入力されたパターン信号の種類と対応付けてパターン信号データがメモリ５に格納される。
【００２５】
そして、使用者の操作によってＫｅｙ７から発光処理が選択されると、ＬＳＩ３の発光処理の動作として、メモリ５からパターン信号の種類が読み出されて、ディスプレイ４に表示される。そして、Ｋｅｙ７からスクロールを指示する入力が為されると、それに従ってメモリ５からパターン信号の種類が読み出されてディスプレイ４に表示される。
【００２６】
そして、例えばディスプレイ４に“ＴＶ デンゲン”が表示された状態でＫｅｙ７から発光キーを用いて発光を指示する入力が為されると、ＬＳＩ３によってメモリ５からディスプレイ４に表示されているパターン信号の種類（“ＴＶ デンゲン”）に対応するパターン信号データが読み出され、ドライバ２でＤ／Ａ変換されて、発光ダイオード１からリモコンのパターン信号と同様の信号が発光される。
【００２７】
本発明の携帯電話機によれば、リモコンから発光されるパターン信号をホトトランジスタ９で受光し、波形成形部８でパターン信号データに変換し、ＬＳＩ３でパターン信号データをパターン信号の種類に対応付けてメモリ５に格納し、リモコンとして使用する際には、ディスプレイ４にパターン信号の種類を表示してＫｅｙ７から選択し、ＬＳＩ３がメモリ５からパターン信号の種類に対応するパターン信号データを読み出して、ドライバ２で電気信号に変換し、発光ダイオード１からパターン信号と同様の信号を発光するので、リモコンとしての機能を付加することにより通話以外の分野にも用途を拡大し、常時携帯するものとしての付加価値を高めることができる効果がある。
【００２８】
また、本発明の携帯電話機によれば、頻繁に使用するリモコンのボタンの機能を常時携帯する携帯電話機に集約できるので、装置毎に異なるリモコンを使用する不便さが解消され、携帯電話機の利用価値を更に高めることができる効果がある。
【図面の簡単な説明】
【００２９】
【図１】本発明に係る携帯電話機の構成ブロック図である。
【図２】本発明のメモリ内のリモコンテーブルの構成例を示す説明図である。
【符号の説明】
【００３０】
１…発行ダイオード、 ２…ドライバ、 ３…ＬＳＩ、 ４…ディスプレイ、５…メモリ、 ６…基本携帯電話モジュール、 ７…Ｋｅｙ、 ８…波形成形部、 ９…ホトトランジスタ
【図１】
2005237042.tif 000003
【図２】
2005237042.tif 000004